(57)【要約】【課題】白色光を放出するＬＥＤの色グループを確定する方法の改善。【解決手段】交差する網線の２つのグループを有する網を用いてＣＩＥ色空間を仕分けし、ここで一方のグループはＪｕｄｄの直線によって決められておりかつ他方のグループはプランクの放射体の色位置に対する線並びに一定のしきい値偏差の所属の線によって決められているので、網は網線によって形成される多数の網目を有しており、ＬＥＤの色位置を突き止め、ＬＥＤの色位置がある網目を突き止め、かつ当該ＬＥＤを前記網目の色グループに割り当てる。【選択図】　　　図１
2004004036.tif 000002
【特許請求の範囲】
【請求項１】
混合、例えば白色光を放出するＬＥＤの色グループを確定する方法において、
交差する網線の２つの群を有する網を用いてＣＩＥ色空間を区分し、ここで一方の群はＪｕｄｄの直線によって決められておりかつ他方の群はプランクの放射体の色位置に対するライン並びに該ラインに対応配属されている、一定のしきい値偏差の線群によって決められているので、網は網線によって形成される多数の網目を有しており、
ＬＥＤの色位置を突き止め、
ＬＥＤの色位置が存在している網目を突き止め、かつ
当該ＬＥＤを前記網目の色グループに割り当てる
ことを特徴とする方法。
【請求項２】
一定のしきい値偏差の線によって決められている隣接する網線では、割り当てられているしきい値の差は２０しきい値単位より小さいまたはそれに等しい、有利には１０しきい値単位より小さいまたはそれに等しい、特別有利には５しきい値単位より小さいまたはそれに等しい
請求項１記載の方法。
【請求項３】
Ｊｕｄｄの直線によって決められている隣接する網線では、Ｊｕｄｄの直線は、差が２０００Ｋより小さいまたはそれに等しい、有利には１５００Ｋより小さいまたはそれに等しい、特別有利には１０００Ｋより小さいまたはそれに等しい色温度を有している
請求項１または２記載の方法。
【請求項４】
交点間の網線を、それぞれの交点を結ぶ直線区間によって少なくとも部分的に置き換える
請求項１から３までのいずれか１項記載の方法。
【請求項５】
白点を含んでいる領域において、網目の面積は該領域の外の網目の面積より小さい
請求項１から４までのいずれか１項記載の方法。
【請求項６】
ＬＥＤはＣＩＥ色空間においてそれぞれ色値を有しており、その際すべての色値は前以て決められている色温度を有する２つのＪｕｄｄの直線およびそれぞれ前以て決められている一定のしきい値偏差を有する２つの線によって形成されている領域にある
複数個のＬＥＤ装置。
【請求項７】
しきい値偏差の差は２０しきい値単位より小さいまたはそれに等しい、有利には１０しきい値単位より小さいまたはそれに等しい、特別有利には５しきい値単位より小さいまたはそれに等しい
請求項６記載の装置。
【請求項８】
色温度の差は２０００Ｋより小さいまたはそれに等しい、有利には１５００Ｋより小さいまたはそれに等しい、特別有利には１０００Ｋより小さいまたはそれに等しい
請求項６または７記載の装置。
【発明の詳細な説明】
【０００１】
【発明の属する技術分野】
本発明は請求項１の上位概念に記載の方法並びに請求項６の上位概念に記載のＬＥＤモジュールに関する。
【０００２】
【従来の技術】
複数の白色光ＬＥＤを備えたＬＥＤモジュールでは通例、製造時に色および明るさに関して同形式と分類されたＬＥＤが使用される。このことは、１つのモジュールにできるだけ同じＬＥＤを実装しかつこれによりできるだけ均質な色印象が実現されるようにする目的のために用いられる。
【０００３】
確かに普通はＬＥＤは製造の際比較的おおざっぱに分類されかつほんの僅かなグループにしか分けられない。この仕分けはその他に、製造パラメータに合わせられている。その際人間の目の色感覚は下位の役割しか演じていない。
【０００４】
それ故に結果としてこの形式のＬＥＤモジュールでは色の印象のはっきりと目につく変動が生じる可能性がある。この問題は殊に白色光ＬＥＤないし白色光モジュールにおいてより顕著になる。というのは、色空間における白点からの偏差が色合いとして特別目立ちやすいからである。
【０００５】
【発明が解決しようとする課題】
本発明の課題は、ＬＥＤ、殊に白色光ＬＥＤの色グループを確定するための改善された方法を提供することである。更に、前以て決められている色位置からできるだけ僅かしか偏差していないＬＥＤの装置、例えばＬＥＤモジュールが提供されるようにしたい。
【０００６】
【課題解決手段、発明の効果、実施の形態】
この課題は請求項１に記載の方法ないし請求項６に記載のＬＥＤ装置によって解決される。
【０００７】
本発明の有利な発展形態は従属請求項の対象である。
【０００８】
混合、殊に白色光を放出するＬＥＤの色グループを確定する本発明の方法では、第１のステップにおいてＣＩＥ色空間に格子網が設けられる。この網は交差する網線の２つの群を有しており、ここで一方の群はＪｕｄｄの直線によって決められておりかつ他方の群はプランクの放射体の色位置に対する線並びに一定のしきい値偏差の所属の線によって決められているので、網は網線によって形成される多数の網目ないし網目領域を有している。その際それぞれの網目には色グループが割り当てられる。
【０００９】
次のステップにおいてＬＥＤの色位置が突き止められる。
【００１０】
これに基づいてＬＥＤの色位置がある網目が確定される。
【００１１】
最終的に当該ＬＥＤはこの網目ないしその色グループに割り当てられる。
【００１２】
ＣＩＥ色空間におけるＪｕｄｄの直線は最も類似している色温度の直線として定義されている。これらは近似的に一定の色温度の線と見なすことができる。プランクの放射体の色位置に対する線はプランクの放射体の種々の温度に対するプランクの放射体の色位置によって決められている。色位置の、この線に対する距離はしきい値単位（ＳＷＥ＝Ｓｃｈｗｅｌｌｗｅｒｔａｂｗｅｉｃｈｕｎｇ）において定められる。本発明の枠内において同じしきい値の点から組み合わされて成る線が一定のしきい値偏差の線と表される。
【００１３】
本発明の方法は、プランクの放射体およびＪｕｄｄの直線、すなわち最も類似している色温度の直線に緊密に依存して人間の目に基づいてＬＥＤの色位置を推し量る。それ故にＬＥＤは、人間の目の色知覚に相応しているグループに分類される。これに対する限界値は例えば、ＬＥＤの組み立てサンプルを用いたテストによって突き止めることができる。それから知覚のこの限界に基づいて、本発明の方法では格子網の網目化を配向しかつ最適化することができる。
【００１４】
本発明の方法により突き止められた同じ色グループのＬＥＤが実装されているＬＥＤモジュールは有利にも僅かな色偏差、殊に呼び起こされる色印象に関して僅かな偏差しか有していない。
【００１５】
一定のしきい値偏差の線によって決められている隣接する網線では、割り当てられているしきい値単位の差は２０しきい値単位、有利には１０しきい値単位、特別有利には５しきい値単位である。
【００１６】
Ｊｕｄｄの直線に相応する隣接する網線では、色温度の差は例えば２０００Ｋ、有利には１５００Ｋ、特別有利には１０００Ｋである。
【００１７】
その際、格子網を不揃いな形に網目化すると有利であり、その際目の大きさは白点、すなわち色位置ｘ＝１／３，ｙ＝１／３の周囲においては小さく選択される。というのは、この領域において人間の目は色偏差に対して特別敏感だからである。
【００１８】
本発明のＬＥＤ装置では、ＬＥＤはそれぞれが、ＣＩＥ色空間においてすべて、それぞれ前以て決められている色温度を有する２つのＪｕｄｄの直線およびそれぞれ前以て決められている一定のしきい値偏差を有する２つの線によって形成されている領域にある色位置を有しているようになっている。これにより上に説明した方法に相応して、ＬＥＤ装置が作動中有利にも僅かな色偏差しか示さないことが実現される。
【００１９】
本発明の有利な特徴、利点および効果は以下の図に関連した実施例の説明から明らかである。
【００２０】
【実施例】
次に本発明を図面を用いて詳細に説明する。
【００２１】
図１には、白点５、すなわち座標ｘ＝１／３，ｙ＝１／３を有する色位置の周辺のＣＩＥ色空間の部分が示されている。
【００２２】
ここでは本発明の方法に対する網を確定するために、色温度３０００Ｋ、４５００Ｋ、５７５０Ｋ、７０００Ｋおよび９０００Ｋを有する５つのＪｕｄｄの直線１が示されている。これらは格子網線の一方の群を形成している。更にプランクの放射体の色位置のライン２並びに一定のしきい値偏差の線群３が図示されている。プランクの放射体のライン２に対する差はそれぞれ、しきい値単位（ＳＷＥ＝Ｓｃｈｗｅｌｌｗｅｒｔａｂｗｅｉｃｈｕｎｇ）において示されかつ値は−３０ＳＷＥ、−２０ＳＷＥ、−１０ＳＷＥ、１０ＳＷＥ、２０ＳＷＥないし３０ＳＷＥである。
【００２３】
その際簡単にするために図示されているように、一定のしきい値偏差３の線は区間線分によって近似することができる。これらは、一定のしきい値偏差３のライン３ａから出発して、Ｊｕｄｄの直線との交点を直線部分によって結ぶことによって生じる。本発明の枠内においてこれらの区間線分が一定のしきい値偏差のラインとも見なされる。
【００２４】
更には、本発明におけるＪｕｄｄの直線は一定のｘ値、例えばｘ＝０．３０、ｘ＝０．３２、ｘ＝０．３４等々を有するラインによって置き換えることもできる。Ｊｕｄｄの直線はｘ軸に対して比較的急峻に経過しているので、ここから生じるエラーは普通許容できる。
【００２５】
本発明の実施例では、分類すべきＬＥＤに対して、その都度色位置、例えば点６によって図示されている色位置が求められかつ図では斜線で示されている網目が求められる。そこで同じ網目内にあるすべてのＬＥＤは同じ色グループに配属される。この形式の方法により色グループに仕分けされているＬＥＤによってＬＥＤ装置が形成される、すなわち同じ色グループのＬＥＤだけが使用されるようにすると、この装置は有利にも僅かな色偏差しか有していない。
【００２６】
この種のモジュールのＬＥＤは、その色位置が、それぞれ前以て決められている色温度を有する２つのＪｕｄｄの直線とそれぞれ前以て決められている、一定のしきい値偏差を有する２つのラインとによって形成されている領域にあるという特徴を有している。
【００２７】
白色は本発明の枠内において、色位置ｘ＝１／３，ｙ＝１／３を有する純白色光のみならず、実質的に白または白っぽいとは異なっていると近くされる光でもあることを指摘しておく。疑問であれば、このために相応のＥＣＥ規定を用いることができる。
【図面の簡単な説明】
【図１】本発明の方法を説明するためのＣＩＥ色空間の部分図である。
【符号の説明】
１　Ｊｕｄｄの直線、　２　プランクの放射体の色位置の線、　３　一定のしきい値偏差、　５　白点、　６　網目
【図１】
2004004036.tif 000003